(57)【要約】【課題】  ＨＦＣ１３４ａガスを含む冷媒ガスを吸入圧縮する圧縮機に好適なシール部材、並びに当該シール部材を備える圧縮機を提供する。【解決手段】  ＨＦＣ１３４ａガスを含む冷媒ガスを吸入圧縮する圧縮機のシール部材は、エチレン−プロピレン−非共役ジエン三元共重合体ゴム（ＥＰＤＭ）で形成されている。【選択図】  図３
2005139949.tif 000002
【特許請求の範囲】
【請求項１】
ＨＦＣ１３４ａガスを含む冷媒ガスを吸入圧縮する圧縮機のシール部材であって、エチレン−プロピレン−非共役ジエン三元共重合体ゴム（ＥＰＤＭ）で形成されたことを特徴とするシール部材。
【請求項２】
ＨＦＣ１３４ａガスを含む冷媒ガスを吸入圧縮する圧縮機であって、エチレン−プロピレン−非共役ジエン三元共重合体ゴム（ＥＰＤＭ）で形成されたシール部材を備えることを特徴とする圧縮機。
【請求項３】
回転軸と、回転軸により駆動される圧縮機構と、回転軸と圧縮機構とを収容するハウジングと、回転軸のハウジング貫通部を密封する軸封装置とを備え、前記シール部材は軸封装置であることを特徴とする請求項２に記載の圧縮機。
【請求項４】
ハウジングは複数の部分ハウジングの集合体であり、前記シール部材は各部分ハウジングの接合部に介挿されるガスケットであることを特徴とする請求項３に記載の圧縮機。
【発明の詳細な説明】
【技術分野】
【０００１】
本発明は、ＨＦＣ１３４ａガスを含む冷媒ガスを吸入圧縮する圧縮機のシール部材に関するものである。
【背景技術】
【０００２】
炭酸ガスの不透過性に優れ、炭酸ガスを吸入圧縮する圧縮機に好適のシール部材が特許文献１に開示されている。
【特許文献１】特開２００３−２４６９７６
【発明の開示】
【発明が解決しようとする課題】
【０００３】
代替フロンの一種であるＨＦＣ（ハイドロフルオロカーボン）１３４ａガスの不透過性に優れ、当該ガスを含む冷媒ガスを吸入圧縮する圧縮機に好適なシール部材は、特許文献１には開示されていない。
【０００４】
本発明は上記問題に鑑みてなされたものであり、ＨＦＣ１３４ａガスの不透過性に優れ、ＨＦＣ１３４ａガスを含む冷媒ガスを吸入圧縮する圧縮機に好適なシール部材、並びに当該シール部材を備える圧縮機を提供することを目的とする。
【課題を解決するための手段】
【０００５】
上記課題を解決するために、本発明においては、ＨＦＣ１３４ａガスを含む冷媒ガスを吸入圧縮する圧縮機のシール部材であって、エチレン−プロピレン−非共役ジエン三元共重合体ゴム（ＥＰＤＭ）で形成されたことを特徴とするシール部材を提供する。
本発明の発明者は、鋭意研究の結果、エチレン−プロピレン−非共役ジエン三元共重合体ゴム（ＥＰＤＭ）が、ＨＦＣ１３４ａガスの不透過性に優れることを見出した。本発明は、上記知見に基づくものであり、ＨＦＣ１３４ａガスを含む冷媒ガスを吸入圧縮する圧縮機に好適なシール部材としてエチレン−プロピレン−非共役ジエン三元共重合体ゴム（ＥＰＤＭ）で形成されたシール部材を提供するものである。
【０００６】
本発明においては、ＨＦＣ１３４ａガスを含む冷媒ガスを吸入圧縮する圧縮機であって、エチレン−プロピレン−非共役ジエン三元共重合体ゴム（ＥＰＤＭ）で形成されたシール部材を備えることを特徴とする圧縮機を提供する。
エチレン−プロピレン−非共役ジエン三元共重合体ゴム（ＥＰＤＭ）で形成されたシール部材を備えることにより、ＨＦＣ１３４ａガスを含む冷媒ガスを吸入圧縮する圧縮機のシール部の性能が向上する。
【０００７】
本発明の好ましい態様においては、圧縮機は回転軸と、回転軸により駆動される圧縮機構と、回転軸と圧縮機構とを収容するハウジングと、回転軸のハウジング貫通部を密封する軸封装置とを備え、前記シール部材は軸封装置である。
本発明の好ましい態様においては、ハウジングは複数の部分ハウジングの集合体であり、前記シール部材は各部分ハウジングの接合部に介挿されるガスケットである。
シール部材の具体的な適用部位として、軸封装置、ガスケットなどが挙げられる。
【発明の効果】
【０００８】
エチレン−プロピレン−非共役ジエン三元共重合体ゴム（ＥＰＤＭ）で形成されたシール部材を備えることにより、ＨＦＣ１３４ａガスを含む冷媒ガスを吸入圧縮する圧縮機のシール部の性能が向上する。
【発明を実施するための最良の形態】
【０００９】
本発明の実施例に係るシール部材を備える斜板式圧縮機を説明する。
【実施例１】
【００１０】
図１に示すように、ＨＦＣ１３４ａガスを含む冷媒ガスを吸入圧縮する可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
回転軸１０、ローター１１、斜板１２を収容するクランク室１７を形成する有底円筒状のフロントハウジング１８が配設されている。回転軸１０は、フロントハウジング１８を貫通して外部へ延びている。
【００１１】
回転軸１０のフロントハウジング貫通部を密封する軸封部材１９が配設されている。図２に示すように、軸封部材１９は、回転軸１０の周側面に摺接するリップシール部材１９ａ、１９ｂと、リップシール部材１９ａ、１９ｂを保持固定する保持金具１９ｃ、１９ｄとを有している。クランク室１７寄りに配設されたリップシール部材１９ａは、エチレン−プロピレン−非共役ジエン三元共重合体ゴム（ＥＰＤＭ）を主原料とするゴム成形体であり、保持金具１９ｃ、１９ｄにより保持された固定部１９ａ′と回転軸１０の周側面に摺接する可動部１９ａ″とを有している。回転軸１０の端部寄りに配設されたリップシール部材１９ｂは、ポリテトラフルオロエチレン（ＰＴＦＥ）等の樹脂製であり、保持金具１９ｃ、１９ｄにより保持された固定部１９ｂ′と回転軸１０の周側面に摺接する可動部１９ｂ″とを有している。リップシール部材１９ａ、１９ｂの可動部部１９ａ″、部１９ｂ″は、回転軸１０のフロントハウジング貫通部へ組付けられる前は、図２に二点鎖線で示すように径方向内方へ延在しているが、組み付け後は、回転軸１０の周側面に押し付けられて前記周側面に摺接し、回転軸１０のフロントハウジング貫通部をシールする。
【００１２】
フロントハウジング１８に取りつけられた電磁クラッチ２０を介して図示しない外部駆動源から回転軸１０の先端部に回転動力が伝達される。
吸入室と吐出室とを形成するシリンダヘッド２１が配設されている。
シリンダブロック１６とシリンダヘッド２１との間にボア１６ａに連通する吸入口と吐出口とが形成された弁板２２が配設されている。
【００１３】
フロントハウジング１８、シリンダブロック１６、弁板２２、シリンダヘッド２１は、ボルト２３により一体に組み付けられている。フロントハウジング１８とシリンダブロック１６との接合部にガスケット２４が介挿され、シリンダブロック１６とシリンダヘッド２１との接合部、より具体的には弁板２２とシリンダブロック１６、シリンダヘッド２１との接合部には、ガスケット２５、２６が介挿され、該部をシールしている。ガスケット２４〜２６は、エチレン−プロピレン−非共役ジエン三元共重合体ゴム（ＥＰＤＭ）を主原料とするゴム成形体である。
回転軸１０はフロントハウジング１８、シリンダブロック１６により回転可能に支持されている。
【００１４】
ＨＦＣ１３４ａガスを含む冷媒ガスを吸入圧縮する圧縮機のシール部材として従来使用されてきた水素化ニトリルゴム（ＨＮＢＲ）で形成されたシール部材と、エチレン−プロピレン−非共役ジエン三元共重合体ゴム（ＥＰＤＭ）で形成されたシール部材のＨＦＣ１３４ａガス透過実験結果を図３、４に示す。図３、４から分かるように、ＥＰＤＭは、ＨＦＣ１３４ａガス透過係数、ＨＦＣ１３４ａガス透過係数の温度依存性共に、ＨＮＢＲに比べて優れている。
【００１５】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室と吸入口と図示しない吸入弁とを介してボア１６ａへ吸入され、ボア１６ａ内で圧縮され、吐出口と図示しない吐出弁と吐出室とシリンダヘッド２１に形成された吐出ポートとを介して外部冷凍回路へ流出する。
軸封装置１９、ガスケット２４〜２６により、可変容量型斜板式圧縮機ＡからのＨＦＣ１３４ａガスを含む冷媒ガスの漏洩が防止されている。
【００１６】
可変容量型斜板式圧縮機Ａにおいては、リップシール部材１９ａ、ガスケット２４〜２６を、エチレン−プロピレン−非共役ジエン三元共重合体ゴム（ＥＰＤＭ）で形成されたシール部材としたので、ＨＦＣ１３４ａガスを含む冷媒ガスの漏洩防止機能が向上している。
【産業上の利用可能性】
【００１７】
本発明は斜板式圧縮機のみならず、ＨＦＣ１３４ａガスを含む冷媒ガスを吸引圧縮する全ての形式の圧縮機に広く利用可能である。
【図面の簡単な説明】
【００１８】
【図１】本発明の実施例に係る可変容量型斜板式圧縮機の断面図である。
【図２】本発明の実施例に係る可変容量型斜板式圧縮機の部分断面図である。
【図３】水素化ニトリルゴム（ＨＮＢＲ）で形成されたシール部材と、エチレン−プロピレン−非共役ジエン三元共重合体ゴム（ＥＰＤＭ）で形成されたシール部材のＨＦＣ１３４ａガス透過実験結果である。
【図４】水素化ニトリルゴム（ＨＮＢＲ）で形成されたシール部材と、エチレン−プロピレン−非共役ジエン三元共重合体ゴム（ＥＰＤＭ）で形成されたシール部材のＨＦＣ１３４ａガス透過実験結果である。
【符号の説明】
【００１９】
Ａ  可変容量型斜板式圧縮機
１０  回転軸
１１  ローター
１２  斜板
１３  リンク機構
１４  シュー
１５  ピストン
１８  フロントハウジング
１９  軸封部材
１９ａ、１９ｂ  リップシール部材
２４、２５、２６  ガスケット
【図１】
2005139949.tif 000003
【図２】
2005139949.tif 000004
【図３】
2005139949.tif 000005
【図４】
2005139949.tif 000006